(57)【要約】【課題】簡単な構造により、施錠時のロック爪の動きをロックして不正解錠を防止することができる遊技機用施錠装置を提供する。【解決手段】表枠ロック爪２，３には、受け金具２３，２４に設けた係止孔２３ｂ、２４ｂに係止される揺動係止爪４，５が表枠ロック爪２，３の側面に枢軸を介して揺動可能に枢支される。揺動係止爪４，５と基枠１間にばね部材１４，１５が掛けられて表枠ロック爪２，３が受け金具２３，２４に係止される方向に付勢されると共に、揺動係止爪４，５が受け金具２３，２４の係止孔２３ｂ、２４ｂに係止される方向に付勢される。表枠ロック爪２，３の受け金具への係止時に揺動係止爪４，５が受け金具の係止孔２３ｂ、２４ｂに係止されることにより、表枠ロック爪２，３の解錠側への摺動がロックされる。【選択図】図１
2008142416.tif 000002
【特許請求の範囲】
【請求項１】
相互に直角に曲折された取付板と支持板を有する縦長の基枠の該支持板に、表枠ロック爪が背面側に突出し且つ上下に摺動可能に配設されると共に、該基枠内に作動帯板が該表枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、本体枠側に取り付けられた受け金具の係止部に、該表枠ロック爪が係止されて表枠が施錠される遊技機用施錠装置において、
該表枠ロック爪には、該受け金具に設けた係止孔に係止される揺動係止爪が該表枠ロック爪の側面に枢軸を介して揺動可能に枢支され、該揺動係止爪と基枠間にばね部材が掛けられて表枠ロック爪が該受け金具に係止される方向に付勢されると共に、該揺動係止爪が該受け金具の係止孔に係止される方向に付勢され、該表枠ロック爪の該受け金具への係止時に該揺動係止爪が受け金具の係止孔に係止されることにより、表枠ロック爪の解錠側への摺動がロックされることを特徴とする遊技機用施錠装置。
【請求項２】
前記カム部材には、係合凸部が設けられ、該作動帯板には該カム部材の係合凸部が進入して嵌合する係合孔が設けられ、施錠状態において係合凸部が該作動帯板の係合孔に嵌入した状態を保持して、該作動帯板の解錠側への摺動を阻止し、解錠時には該カム部材の該係合凸部が該係合孔内にさらに進入して該作動帯板を摺動させることを特徴とする請求項１記載の遊技機用施錠装置。
【請求項３】
前記作動帯板の解錠方向への移動時に、作動帯板の係合部が先ず揺動係止爪の元部の係合部に係合して該揺動係止爪を傾動させて、揺動係止爪の受け金具の係止孔に対する係合を外し、次に該作動帯板の係合部を表枠ロック爪の元部の係合部に係合させて、表枠ロック爪を解錠方向に摺動させ、これにより、表枠ロック爪の受け金具の係止孔に対する係合が外れて、表枠ロック爪が受け金具の係止部から外れ、表枠が解錠されることを特徴とする請求項１記載の遊技機用施錠装置。
【請求項４】
相互に直角に曲折された取付板と支持板を有する縦長の基枠の該支持板に、ガラス枠ロック爪が該取付板の開口部から正面側に突出し且つ上下に摺動可能に配設されると共に、該基枠内に作動帯板が該ガラス枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、該表枠の正面側にガラス枠が開閉可能に装着され、ガラス枠側に設けた受け金具の係止部に、該ガラス枠ロック爪が係止されてガラス枠が施錠される遊技機用施錠装置において、
該ガラス枠ロック爪には、該受け金具に設けた係止孔に係止される揺動係止爪が該ガラス枠ロック爪の側面に枢軸を介して揺動可能に枢支され、該揺動係止爪と基枠間にばね部材が掛けられてガラス枠ロック爪が該受け金具に係止される方向に付勢されると共に、該揺動係止爪が該受け金具の係止孔に係止される方向に付勢され、該ガラス枠ロック爪の該受け金具への係止時に該揺動係止爪が受け金具の係止孔に係止されることにより、ガラス枠ロック爪の解錠側への摺動がロックされることを特徴とする遊技機用施錠装置。
【請求項５】
前記作動帯板の解錠方向への移動時に、作動帯板の係合部が先ず揺動係止爪の元部の係合部に係合して該揺動係止爪を傾動させて、揺動係止爪の受け金具の係止孔に対する係合を外し、次に該作動帯板の係合部をガラス枠ロック爪の元部の係合部に係合させて、ガラス枠ロック爪を解錠方向に摺動させ、これにより、ガラス枠ロック爪の受け金具の係止孔に対する係合が外れて、ガラス枠ロック爪が受け金具の係止部から外れ、ガラス枠が解錠されることを特徴とする請求項４記載の遊技機用施錠装置。
【請求項６】
相互に直角に曲折された取付板と支持板を有する縦長の基枠の該支持板に、上下１対の表枠ロック爪が背面側に突出し且つ上下に摺動可能配設され、上下１対のガラス枠ロック爪が該取付板の開口部から正面側に突出し且つ上下に摺動可能に配設されると共に、該基枠内に１本の作動帯板が該表枠ロック爪及び該ガラス枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、該表枠の正面側にガラス枠が開閉可能に装着され、本体枠側に設けた受け金具の係止部に、該各表枠ロック爪が係止されて表枠が施錠され、ガラス枠側に設けた受け金具の係止部に、該各ガラス枠ロック爪が係止されてガラス枠が施錠される遊技機用施錠装置において、
該各表枠ロック爪には、該受け金具に設けた係止孔に係止される揺動係止爪が該表枠ロック爪の側面に枢軸を介して揺動可能に枢支され、該揺動係止爪と基枠間にばね部材が掛けられて該各表枠ロック爪が該受け金具に係止される方向に付勢されると共に、該揺動係止爪が該受け金具の係止孔に係止される方向に付勢され、該表枠ロック爪の該受け金具への係止時に該揺動係止爪が受け金具の係止孔に係止されることにより、該表枠ロック爪の解錠側への摺動がロックされ、該各ガラス枠ロック爪には、該受け金具に設けた係止孔に係止される揺動係止爪が該ガラス枠ロック爪の側面に枢軸を介して揺動可能に枢支され、該揺動係止爪と基枠間にばね部材が掛けられて該各ガラス枠ロック爪が該受け金具に係止される方向に付勢されると共に、該揺動係止爪が該受け金具の係止孔に係止される方向に付勢され、該ガラス枠ロック爪の該受け金具への係止時に該揺動係止爪が受け金具の係止孔に係止されることにより、該ガラス枠ロック爪の解錠側への摺動がロックされることを特徴とする遊技機用施錠装置。
【請求項７】
前記カム部材には、第１係合凸部と第２係合凸部が設けられ、該作動帯板には該カム部材の第１係合凸部と第２係合凸部が進入して嵌合する係合孔が各々設けられ、施錠状態において該第１係合凸部と第２係合凸部が該作動帯板の係合孔に嵌入した状態を保持して、該作動帯板の解錠側への摺動を阻止し、解錠時には該カム部材の該第１係合凸部または第２係合凸部が該係合孔内にさらに進入して該作動帯板を摺動させることを特徴とする請求項６記載の遊技機用施錠装置。
【請求項８】
前記作動帯板には、前記各ガラス枠ロック爪に設けた係合部と係合可能な係合部及び前記各表枠ロック爪に設けた係合部と係合可能な係合部が設けられ、該作動帯板を該表枠ロック爪の解錠側に移動させたとき、該各表枠ロック爪が摺動して解錠動作し、該作動帯板を該表枠の解錠動作と反対方向に移動させたとき、該各ガラス枠ロック爪が摺動して解錠動作することを特徴とする請求項６記載の遊技機用施錠装置。
【発明の詳細な説明】
【技術分野】
【０００１】
本発明は、パチンコ機などの遊技機に使用される施錠装置に関し、特に施錠状態におけるロック爪の動きを完全にロックし、不正解錠を防止することができる遊技機用施錠装置に関する。
【背景技術】
【０００２】
例えば、パチンコ機の施錠装置として、従来、下記特許文献１に記載される構造の施錠装置が知られている。この施錠装置は、縦長でアングル材形の基枠の上部と下部に各々、パチンコ機の表枠を施錠するための表枠用ロック爪と、金枠（ガラス枠）を施錠するための金枠用ロック爪とを揺動可能に枢支すると共に、基枠内に上下の表枠用ロック爪を連結する表枠用帯板と上下の金枠用ロック爪を連結する金枠用帯板とを摺動可能に配設し構成される。
【０００３】
さらに、基枠の中間部にシリンダ錠が取り付けられ、シリンダ錠の錠軸先端に、カム部材が取り付けられ、カム部材が表枠用帯板と金枠用帯板に係合可能とされ、シリンダ錠の一方向の回動により、カム部材を表枠用帯板に係合させ同帯板を摺動させて表枠を解錠し、シリンダ錠の他方向への回動により、カム部材を金枠用帯板に係合させ同帯板を摺動させて金枠を解錠するように動作する。
【特許文献１】特開２００１−３８０２６号公報
【発明の開示】
【発明が解決しようとする課題】
【０００４】
この種のパチンコ機の施錠装置は、通常、表枠または金枠を閉じると、表枠用ロック爪または金枠用ロック爪が、自動的に傾動して、本体枠側の受け金具または表枠側の受け金具に係止されて施錠され、解錠する際には、シリンダ錠によりカム部材を回動させることにより、表枠用帯板または金枠用帯板を摺動させて解錠操作する。このため、施錠状態において、表枠の隙間から針金などを差し込んで不正に表枠用帯板または金枠用帯板を移動させた場合、表枠用ロック爪または金枠用ロック爪が傾動して、不正解錠が可能となる問題があった。
【０００５】
このために、上記特許文献１の施錠装置では、施錠状態で表枠用帯板と金枠用帯板の移動をロックするロック部材とそのロックを解除するロック解除部材を取り付けている。しかしながら、このロック部材とロック解除部材は金枠用帯板に揺動可能に枢支され、表枠及び金枠の開閉時には揺動し、表枠用帯板などを係止する構造のため、表枠用帯板と金枠用帯板がキーによる解錠時に円滑に移動しない場合があり、また、ロック部材とロック解除部材及びそれらを付勢するコイルばねなどの部材が必要となって部品点数が増大し、製造時の組付工数も増大する課題があった。
【０００６】
本発明は、上述の課題を解決するものであり、簡単な構造により、施錠時のロック爪の動きをロックして不正解錠を防止することができる遊技機用施錠装置を提供することを目的とする。
【課題を解決するための手段】
【０００７】
本発明に係る請求項１の遊技機用施錠装置は、相互に直角に曲折された取付板と支持板を有する縦長の基枠の該支持板に、表枠ロック爪が背面側に突出し且つ上下に摺動可能に配設されると共に、該基枠内に作動帯板が該表枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、本体枠側に取り付けられた受け金具の係止部に、該表枠ロック爪が係止されて表枠が施錠される遊技機用施錠装置において、該表枠ロック爪には、該受け金具に設けた係止孔に係止される揺動係止爪が該表枠ロック爪の側面に枢軸を介して揺動可能に枢支され、該揺動係止爪と基枠間にばね部材が掛けられて表枠ロック爪が該受け金具に係止される方向に付勢されると共に、該揺動係止爪が該受け金具の係止孔に係止される方向に付勢され、該表枠ロック爪の該受け金具への係止時に該揺動係止爪が受け金具の係止孔に係止されることにより、表枠ロック爪の解錠側への摺動がロックされることを特徴とする。
【０００８】
ここで、請求項２のように、上記カム部材には、係合凸部が設けられ、該作動帯板には該カム部材の係合凸部が進入して嵌合する係合孔が設けられ、施錠状態において該係合凸部が該作動帯板の係合孔に嵌入した状態を保持して、該作動帯板の解錠側への摺動を阻止し、解錠時には該カム部材の該係合凸部が該係合孔内にさらに進入して該作動帯板を摺動させるように構成することができる。
【０００９】
また、請求項３のように、上記作動帯板の解錠方向への移動時に、作動帯板の係合部が先ず揺動係止爪の元部の係合部に係合して該揺動係止爪を傾動させて、揺動係止爪の受け金具の係止孔に対する係合を外し、次に該作動帯板の係合部を表枠ロック爪の元部の係合部に係合させて、表枠ロック爪を解錠方向に摺動させ、これにより、表枠ロック爪の受け金具の係止孔に対する係合が外れて、表枠ロック爪が受け金具の係止部から外れ、表枠が解錠されるように構成することができる。
【００１０】
一方、本発明の請求項４の遊技機用施錠装置は、相互に直角に曲折された取付板と支持板を有する縦長の基枠の該支持板に、ガラス枠ロック爪が該取付板の開口部から正面側に突出し且つ上下に摺動可能に配設されると共に、該基枠内に作動帯板が該ガラス枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、該表枠の正面側にガラス枠が開閉可能に装着され、ガラス枠側に設けた受け金具の係止部に、該ガラス枠ロック爪が係止されてガラス枠が施錠される遊技機用施錠装置において、該ガラス枠ロック爪には、該受け金具に設けた係止孔に係止される揺動係止爪が該ガラス枠ロック爪の側面に枢軸を介して揺動可能に枢支され、該揺動係止爪と基枠間にばね部材が掛けられてガラス枠ロック爪が該受け金具に係止される方向に付勢されると共に、該揺動係止爪が該受け金具の係止孔に係止される方向に付勢され、該ガラス枠ロック爪の該受け金具への係止時に該揺動係止爪が受け金具の係止孔に係止されることにより、ガラス枠ロック爪の解錠側への摺動がロックされることを特徴とする。
【００１１】
また、請求項４の施錠装置においては、請求項５のように、上記作動帯板の解錠方向への移動時に、作動帯板の係合部が先ず揺動係止爪の元部の係合部に係合して該揺動係止爪を傾動させて、揺動係止爪の受け金具の係止孔に対する係合を外し、次に該作動帯板の係合部をガラス枠ロック爪の元部の係合部に係合させて、ガラス枠ロック爪を解錠方向に摺動させ、これにより、ガラス枠ロック爪の受け金具の係止孔に対する係合が外れて、ガラス枠ロック爪が受け金具の係止部から外れ、ガラス枠が解錠されるように構成することができる。
【００１２】
さらに、本発明の請求項６の遊技機用施錠装置は、相互に直角に曲折された取付板と支持板を有する縦長の基枠の該支持板に、上下１対の表枠ロック爪が背面側に突出し且つ上下に摺動可能配設され、上下１対のガラス枠ロック爪が該取付板の開口部から正面側に突出し且つ上下に摺動可能に配設されると共に、該基枠内に１本の作動帯板が該表枠ロック爪及び該ガラス枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、該表枠の正面側にガラス枠が開閉可能に装着され、本体枠側に設けた受け金具の係止部に、該各表枠ロック爪が係止されて表枠が施錠され、ガラス枠側に設けた受け金具の係止部に、該各ガラス枠ロック爪が係止されてガラス枠が施錠される遊技機用施錠装置において、該各表枠ロック爪には、該受け金具に設けた係止孔に係止される揺動係止爪が該表枠ロック爪の側面に枢軸を介して揺動可能に枢支され、該揺動係止爪と基枠間にばね部材が掛けられて表枠ロック爪が該受け金具に係止される方向に付勢されると共に、該揺動係止爪が該受け金具の係止孔に係止される方向に付勢され、該各表枠ロック爪の該受け金具への係止時に該揺動係止爪が受け金具の係止孔に係止されることにより、該各表枠ロック爪の解錠側への摺動がロックされ、該各ガラス枠ロック爪には、該受け金具に設けた係止孔に係止される揺動係止爪が該ガラス枠ロック爪の側面に枢軸を介して揺動可能に枢支され、該揺動係止爪と基枠間にばね部材が掛けられてガラス枠ロック爪が該受け金具に係止される方向に付勢されると共に、該揺動係止爪が該受け金具の係止孔に係止される方向に付勢され、該各ガラス枠ロック爪の該受け金具への係止時に該揺動係止爪が受け金具の係止孔に係止されることにより、該各ガラス枠ロック爪の解錠側への摺動がロックされることを特徴とする。
【００１３】
ここで、請求項６の施錠装置においては、請求項７のように、上記カム部材には、第１係合凸部と第２係合凸部が設けられ、上記作動帯板には該カム部材の第１係合凸部と第２係合凸部が進入して嵌合する係合孔が各々設けられ、施錠状態において該第１係合凸部と第２係合凸部が該作動帯板の係合孔に嵌入した状態を保持して、該作動帯板の解錠側への摺動を阻止し、解錠時には該カム部材の該第１係合凸部または第２係合凸部が該係合孔内にさらに進入して該作動帯板を摺動させるように構成することができる。
【００１４】
また、上記請求項６の施錠装置においては、請求項８のように、上記作動帯板には、上記各ガラス枠ロック爪に設けた係合部と係合可能な係合部及び上記各表枠ロック爪に設けた係合部と係合可能な係合部が設けられ、該作動帯板を該表枠ロック爪の解錠側に移動させたとき、該各表枠ロック爪が摺動して解錠動作し、該作動帯板を該表枠の解錠動作と反対方向に移動させたとき、該各ガラス枠ロック爪が摺動して解錠動作するように構成することができる。
【発明の効果】
【００１５】
上記請求項１の遊技機用施錠装置では、施錠状態において、表枠ロック爪が本体枠側の受け金具に係止された状態で、表枠ロック爪の側面に揺動可能に枢支された揺動係止爪が受け金具に設けた係止孔に嵌入するため、遊技機の表枠と本体枠の隙間から針金などの不正器具を差し込み、その先端で引っ掛けて、表枠ロック爪を解錠側へ摺動させようとしても、表枠ロック爪の側面に枢支された揺動係止爪が受け金具側の係止孔に嵌入して受け金具に対する表枠ロック爪の摺動をロックし、これによって、表枠ロック爪は摺動せず、不正解錠を防止することができる。
【００１６】
また、施錠状態においては、カム部材の係合凸部が、作動帯板の係合孔に嵌入した状態を保持して、作動帯板の解錠側への摺動を阻止するため、不正器具の先端を引っ掛けて作動帯板を動かし表枠ロック爪を摺動させようとしても、作動帯板は摺動せず、不正解錠を防止することができる。また、本施錠装置によれば、従来のようにロック解除部材を取り付ける必要がなく、表枠ロック爪と揺動係止爪を付勢するばね部材を兼用できるため、部品点数が少なく、比較的簡単に構成することができ、低コストで製造することが可能となる。
【００１７】
さらに、請求項４の遊技機用施錠装置によれば、ガラス枠の施錠時にガラス枠ロック爪を、ガラス枠ロック爪の側面に揺動可能に枢支された揺動係止爪が受け金具に設けた係止孔に嵌入してロックするため、ガラス枠ロック爪の不正解錠を防止することができる。
【００１８】
さらに、請求項６の施錠装置によれば、表枠の施錠時に表枠ロック爪をロックし、且つガラス枠の施錠時にはガラス枠ロック爪をロックして、表枠とガラス枠の両方の不正解錠を防止することができる。また、上下１対の表枠ロック爪と上下１対のガラス枠ロック爪を設け、各々のロック爪がその側面に枢支された揺動係止爪により独立してロックされるため、複数のロック爪を同時に解除することは極めて不可能となり、確実に不正解錠を防止することができる。
【００１９】
さらに、上下１対の表枠ロック爪と上下１対のガラス枠ロック爪は、全てが上下摺動により施錠・解錠動作するため、ロック爪やその受け金具の寸法精度に、それ程高い精度は必要とされず、比較的ラフな精度でも施錠・解錠動作を行なうことができる。また、表枠またはガラス枠の解錠操作は、１本の作動帯板を上または下に摺動させるだけの簡単な操作で、表枠ロック爪またはガラス枠ロック爪を摺動させて行なうことができ、部品点数も少なく、構造が簡単である。
【発明を実施するための最良の形態】
【００２０】
以下、本発明の一実施形態を図面に基づいて説明する。図１はパチンコ遊技機用の施錠装置の右側面図を示し、図２はその背面図を示し、図３はその分解右側面図を示している。本施錠装置は、基本的には、縦長で略チャンネル材形の基枠１の支持板１２の上部と下部に、パチンコ遊技機の表枠２１を施錠するために上下１対の表枠ロック爪２，３を上下摺動可能に配設し、さらに、基枠１の上部と中央下寄りに上下１対のガラス枠ロック爪６，７を摺動可能に配設し、上下の表枠ロック爪２，３及びガラス枠ロック爪６，７を解錠方向に上下摺動させる作動帯板８を基枠１内の支持板１２に沿って摺動可能に配設し、基枠１の取付板１１の中間部下寄りにシリンダ錠９を取り付け、シリンダ錠９の錠軸９ｂ先端に固定したカム部材１０を、作動帯板８に係合可能として構成される。
【００２１】
基枠１は、図３、図４の分解図に示すように、断面コ字状の略チャンネル材状に形成され、その底板となる取付板１１と、取付板１１から直角に立ち上がるように曲折された支持板１２とを有している。取付板１１と支持板１２が相互に直角に曲折され、支持板１２には、表枠ロック爪２，３の上下摺動をガイドするためのガイド孔（長孔）１２ａ，１２ｂとガラス枠ロック爪６，７の上下摺動をガイドするためのガイド孔１２ｃ、１２ｄとが、それらの配設位置に形成されている。
【００２２】
これらのガイド孔１２ａ，１２ｂに左側面からガイドピン１３ａ，１３ｂが挿入され、ガイドピン１３ａ，１３ｂの先端は作動帯板８上のガイド孔８ａ，８ｂを貫通して表枠ロック爪２，３のスライド部２ａ，３ａの下部に固定される。同様に、ガイド孔１２ｃ、１２ｄには左側面からガイドピン１３ｃ，１３ｄが挿入され、ガイドピン１３ｃ，１３ｄの先端は作動帯板８上のガイド孔８ｃ，８ｄを貫通してガラス枠ロック爪６，７のスライド部６ａ，７ａの下部に固定される。これにより、作動帯板８はガイド孔８ａ，８ｂ，８ｃ，８ｄ、及びガイドピン１３ａ，１３ｂ，１３ｃ，１３ｄの範囲内で上下動可能となっている。
【００２３】
上下１対の表枠ロック爪２，３は、基部となる略矩形のスライド部２ａ，３ａから背面側に突き出すようにフック部が下向きに形成されて構成され、施錠位置から解錠位置の間で基枠１内を上下に摺動可能に配設されている。また、図４に示すように、基枠１の支持板１２の背面側縁部における表枠ロック爪２，３に対応した位置に、表枠ロック爪２，３用のガイド保持部１１ｅ、１１ｆが取付板と平行に形成され、そのガイド保持部１１ｅ、１１ｆにより表枠ロック爪２，３の上下摺動をガイドする。また、ガイド保持部１１ｅ，１１ｆに、スリット１１ｇ、１１ｈが形成され、揺動係止爪４，５の先端爪部４ｂ、５ｂがこのスリット１１ｇ、１１ｈから背面側に突出する。
【００２４】
表枠ロック爪２，３の基部となるスライド部２ａ，３ａの縁部には、作動帯板８の係合凸部８ｅ、８ｆと係合可能な係合部２ｂ、３ｂが凹部として形成されている。作動帯板８の上昇時、作動帯板８の係合凸部８ｅ、８ｆが表枠ロック爪２，３の係合部２ｂ、３ｂに係合し、表枠ロック爪２，３を上に摺動させ、受け金具２３，２４の係止部２３ａ，２４ａとの係合を外すように解錠動作する。
【００２５】
さらに、表枠ロック爪２，３の側面には、図３、図４に示すように、各々、揺動係止爪４，５が枢軸４ａ，５ａを介して僅かな角度範囲（ガイドピンとガイド孔で制限される範囲）で傾動（揺動）可能に軸支されている。この揺動係止爪４，５は、表枠ロック爪２，３が後述の受け金具２３，２４の係止部２３ａ，２４ａに係止される際、受け金具２３，２４の係止部２３ａ，２４ａに設けた係止孔２３ｂ、２４ｂに嵌入して係止される先端爪部４ｂ、５ｂを設けて形成される。
【００２６】
さらに、揺動係止爪４，５には、作動帯板８の係合凸部８ａ、８ｂと係合可能な係合部４ｃ、５ｃが凹部として形成され、作動帯板８の上昇時、作動帯板８の係合凸部８ｅ、８ｆがこの係合部４ｃ、５ｃに係合して、揺動係止爪４，５の先端爪部４ｂ、５ｂを受け金具２３，２４の係止孔２３ｂ、２４ｂから外すように揺動させ、表枠ロック爪２，３のロックを外して、表枠ロック爪２，３を解錠方向に摺動可能とする。
【００２７】
また、揺動係止爪４，５には、ガイド孔４ｄ、５ｄが形成され、そのガイド孔４ｄ、５ｄにガイドピン４ｅ，５ｅが挿通されてガイドピン４ｅ，５ｅの先端が表枠ロック爪２，３に固定され、ガイド孔４ｄ、５ｄとガイドピン４ｅ，５ｅとによって制限される角度範囲で揺動可能となっている。さらに、揺動係止爪４，５の上部には、ばね部材１４，１５を掛けるための掛止部４ｆ、５ｆが突設されている。
【００２８】
ばね部材１４，１５は、揺動係止爪４，５の掛止部４ｆ、５ｆと取付板１１との間にかけられ、これにより、揺動係止爪４，５は表枠ロック爪２，３と共に下方に付勢される。またこの際、揺動係止爪４，５はその先端爪部４ｂ、５ｂを背面側に突き出し、受け金具２３，２４の係止孔２３ｂ、２４ｂに嵌入するように付勢される。
【００２９】
上記構成により、表枠ロック爪２，３は、常時、ばね部材１４，１５により施錠側に付勢される。そして、表枠２１を閉じて施錠する際、表枠ロック爪２，３は、受け金具２３，２４の係止部２３ａ，２４ａに当って解錠側に移動力を受けて、各々単独で摺動し、受け金具２３，２４の係止部２３ａ，２４ａに係止され、施錠状態となる。またこのとき、揺動係止爪４，５の先端爪部４ｂ、５ｂが受け金具２３，２４の係止孔２３ｂ、２４ｂに嵌入し係止されるため、表枠ロック爪２，３を無理に解錠側に摺動させようとしても、先端爪部４ｂ、５ｂがロックされて移動できず、針金などの不正器具による不正解錠は防止される。
【００３０】
一方、解錠時に、作動帯板８を解錠方向（上方）に摺動させたとき、その係合凸部８ｅ、８ｆが、先ず揺動係止爪４，５の係合部４ｃ、５ｃに係合してこれを上方に押し、続いて、表枠ロック爪２，３の係合部２ｂ、３ｂに係合してこれを上方に摺動させる。このとき、揺動係止爪４，５が枢軸４ａ，５ａを軸に回動して、その先端爪部４ｂ、５ｂを受け金具２３，２４の係止孔２３ｂ，２４ｂから離脱させてロックを解除し、次に、揺動係止爪４，５と表枠ロック爪２，３が共に解錠側に摺動し、解錠状態となるように動作する。
【００３１】
基枠１の取付板１１の上部と中間部上寄りに、ガラス枠ロック爪６，７用の開口部１１ａ、１１ｂ（図４）が形成され、この開口部１１ａ，１１ｂからロック爪を正面側に突き出す形態で、ガラス枠ロック爪６，７が基枠１内に上下摺動可能に配設される。またこのとき、揺動係止爪１６，１７の先端爪部４ｂ、５ｂは、開口部１１ａ，１１ｂの上方に形成されたスリット１１ｃ、１１ｄから前方に突出する。
【００３２】
上部と中間部上寄りに位置するガラス枠ロック爪６，７は、基部となる略矩形のスライド部６ａ，７ａから正面側に突き出すようにフック部が上向きに形成されて構成され、施錠位置から解錠位置の間で基枠１内を上下に摺動可能に配設されている。ガラス枠ロック爪６，７の基部となるスライド部６ａ，７ａの縁部には、作動帯板８の係合凸部８ｅ、８ｈと係合可能な係合部６ｂ、７ｂが凹部として形成されている。作動帯板８の下降時、作動帯板８の係合凸部８ｇ、８ｈがガラス枠ロック爪６，７の係合部６ｂ、７ｂに係合し、ガラス枠ロック爪６，７を下に摺動させ、受け金具との係合を外すように解錠動作する。
【００３３】
さらに、ガラス枠ロック爪６，７の側面には、図３、図４に示すように、各々、揺動係止爪１６，１７が枢軸１６ａ，１７ａを介して僅かな角度範囲（ガイドピンとガイド孔で制限される範囲）で傾動（揺動）可能に軸支されている。この揺動係止爪１６，１７は、ガラス枠ロック爪６，７が後述の受け金具２５，２６の係止部２５ａ，２６ａに係止される際、受け金具２５，２６の係止孔２５ｂ、２６ｂに嵌入して係止される先端爪部１６ｂ、１７ｂを設けて形成される。
【００３４】
さらに、揺動係止爪１６，１７には、作動帯板８の係合凸部８ｇ、８ｈと係合可能な係合部１６ｃ、１７ｃが凹部として形成され、作動帯板８の下降時、作動帯板８の係合凸部８ｇ、８ｈがこの係合部１６ｃ、１７ｃに係合して、揺動係止爪１６，１７の先端爪部１６ｂ、１７ｂを受け金具２５，２６の係止孔２５ｂ、２６ｂから外すように揺動させ、ガラス枠ロック爪６，７のロックを外して、ガラス枠ロック爪６，７を解錠方向に摺動可能とする。
【００３５】
また、揺動係止爪１６，１７には、ガイド孔１６ｄ、１７ｄが形成され、そのガイド孔１６ｄ、１７ｄにガイドピン１６ｅ，１７ｅが挿通されてガイドピン１６ｅ，１７ｅの先端がガラス枠ロック爪６，７に固定され、ガイド孔１６ｄ、１７ｄとガイドピン１６ｅ，１７ｅとによって制限される角度範囲で揺動可能となっている。さらに、揺動係止爪１６，１７の上部には、ばね部材１８，１９を掛けるための掛止部１６ｆ、１７ｆが突設されている。
【００３６】
ばね部材１８，１９は、揺動係止爪１６，１７の掛止部１６ｆ、１７ｆと取付板１１との間にかけられ、これにより、揺動係止爪１６，１７はガラス枠ロック爪６，７と共に上方に付勢される。またこの際、揺動係止爪１６，１７はその先端爪部１６ｂ、１７ｂを正面側に突き出し、受け金具２５，２６の係止孔２５ｂ、２６ｂに嵌入するように付勢される。
【００３７】
上記構成により、ガラス枠ロック爪６，７は、常時、ばね部材１８，１９により施錠側に付勢される。そして、ガラス枠２２を閉じて施錠する際、ガラス枠ロック爪６，７は、その傾斜頭部が受け金具２５，２６の係止部２５ａ，２６ａに当って解錠側に移動力を受けて、各々単独で摺動し、ばね部材１８，１９による付勢力を受けて元の位置に戻り、受け金具２５，２６の係止部２５ａ，２６ａに係止され、施錠状態となる。またこのとき、揺動係止爪１６，１７の先端爪部１６ｂ、１７ｂが受け金具２５，２６の係止孔２５ｂ、２６ｂに嵌入して係止される。これにより、ガラス枠ロック爪６，７は施錠位置でロックされ、無理に解錠側に摺動させようとしても、先端爪部１６ｂ、１７ｂのロックにより移動できず、針金などの不正器具による不正解錠は防止される。
【００３８】
一方、解錠時に、作動帯板８を解錠方向（下方）に摺動させたとき、その係合凸部８ｇ、８ｈが、先ず揺動係止爪１６，１７の係合部１６ｃ、１７ｃに係合してこれを下方に押し、続いて、ガラス枠ロック爪６，７の係合部６ｂ、７ｂに係合してこれを下方に摺動させる。このとき、先ず、揺動係止爪１６，１７が枢軸１６ａ，１７ａを軸に回動してその先端爪部１６ｂ、１７ｂを受け金具２５，２６の係止孔２５ｂ，２６ｂから離脱させ、次に、揺動係止爪１６，１７とガラス枠ロック爪６，７が共に解錠側に摺動して、解錠状態となる。
【００３９】
一方、基枠１の取付板１１の中間部下寄りに、シリンダ錠用の取付開口部が形成され、図３、図４に示すように、フランジ９ａを有するシリンダ錠９がその取付開口部に挿入する形態で取り付けられる。シリンダ錠９は、取付板１１の内側からフランジ９ａを取付板１１に当て、取付開口部からシリンダを正面に突出させ、固定ねじにて締め付け固定して取り付けられる。これにより、シリンダ錠９の錠軸９ｂは基枠１の内側に位置する。
【００４０】
基枠１の内側では、シリンダ錠９の錠軸９ｂの先端に、カム部材１０が固定される。カム部材１０には、第１係合凸部１０ａと第２係合凸部１０ｂが突設され、図２、図４に示すように、第１係合凸部１０ａと第２係合凸部１０ｂは、基枠１内で、支持板１２及び作動帯板８の側を向いて配設される。また、カム部材１０の第１係合凸部１０ａと第２係合凸部１０ｂは、施錠状態（キーによる解錠時以外の状態時）において、作動帯板８の係合孔８ｉ，８ｊ（図３）及び支持板１２の長孔１２ｅに進入して嵌り込み、作動帯板８の移動を阻止する構造となっている。
【００４１】
さらに、カム部材１０の第１係合凸部１０ａは、シリンダ錠９にキーを差し込み右に回したとき、図２の反時計方向に回動するが、このとき、第１係合凸部１０ａが係合孔８ｊ内にさらに進入して作動帯板８を上に摺動させるように形成されている。また、同様に、カム部材１０の第２係合凸部１０ｂは、シリンダ錠９にキーを差し込み左に回したとき、図２の時計方向に回動するが、このとき、第２係合凸部１０ｂが係合孔８ｉ内にさらに進入して作動帯板８を下に摺動させるように形成されている。
【００４２】
上記構成の遊技機用施錠装置は、図５に示すように、パチンコ遊技機の本体枠２０の前面に、ヒンジを介して開閉可能に装着された表枠２１の内側の自由端寄りに、縦に固定される。このとき、シリンダ錠９の正面鍵口は表枠２１の正面に露出し、表枠ロック爪２，３は、表枠２１の背面側つまり本体枠２０側を向いて取り付けられる。
【００４３】
本体枠２０内における表枠ロック爪２，３の対応位置に、受け金具２３，２４が固定される。この受け金具２３，２４には、図７（ａ）に示すように、係止部２３ａ，２４ａが取付部から直角に曲折して形成され、係止部２３ａ，２４ａ内の一部に矩形の係止孔２３ｂ、２４ｂが形成されている。一方、表枠２１の正面側には、ガラス枠２２がヒンジを介して開閉可能に取り付けられ、そのガラス枠２２の閉鎖時にガラス枠２２が嵌る表枠２１の正面部分の縁部に、１対のガラス枠ロック爪６，７が突出する。そして、ガラス枠２２の内側には、ガラス枠２２の閉鎖時に、ガラス枠ロック爪６，７が係止可能な受け金具２５，２６がガラス枠２２の内側に取り付けられる。受け金具２５，２６には、図７（ｂ）に示すように、係止部２５ａ，２６ａが直角に曲折した平板部に形成され、係止部２５ａ，２６ａ内の一部には、矩形の係止孔２５ｂ、２６ｂが形成されている。
【００４４】
パチンコ遊技機の本体枠２０に対し表枠２１を閉じると、図１３に示すように、施錠装置の表枠ロック爪２，３の先端傾斜部が本体枠２０の内側の受け金具２３，２４の係止部２３ａ，２４ａに接触して、これらの表枠ロック爪２，３が一旦上に摺動し、ばね部材１４，１５の付勢力で元に戻ることにより、表枠ロック爪２，３の係止凹部が受け金具２３，２４の係止部２３ａ，２４ａに係止される。同時に、表枠ロック爪２，３の側面に枢支された揺動係止爪４，５の先端爪部４ｂ、５ｂが、ばね部材１４，１５の付勢力により図１３の反時計方向に回動して、受け金具２３，２４の係止孔２３ｂ、２４ｂに嵌入して係止され、図６のような施錠状態となる。
【００４５】
このように、表枠２１の施錠状態において、表枠ロック爪２，３が受け金具２３，２４の係止部２３ａ，２４ａに係止されると共に、表枠ロック爪２，３に枢支された揺動係止爪４，５の先端爪部４ｂ、５ｂが、受け金具２３，２４の係止孔２３ｂ、２４ｂに係止され、ロックされる。このため、遊技機の表枠２１と本体枠２０の隙間から針金などの不正器具を差し込み、その先端で引っ掛けて、表枠ロック爪２，３を解錠側へ移動させようとしても、表枠ロック爪２，３は、それと一体の揺動係止爪４，５の先端爪部４ｂ、５ｂが受け金具２３，２４の矩形の係止孔２３ｂ、２４ｂに嵌入し、ロックされているため、解錠への移動は不可能となる。
【００４６】
したがって、施錠状態における表枠ロック爪２，３は、上方への摺動が不可能となり、表枠の隙間から針金などを差し込んで表枠ロック爪２，３を上方へ摺動させることができず、不正解錠を防止することができる。また、施錠状態において、カム部材１０の第１、第２係合凸部１０ａ，１０ｂが、作動帯板８の係合孔８ｉ，８ｊに嵌入した状態を保持して、作動帯板８の移動はロックされる。つまり、キーを抜いた状態のシリンダ錠９では、その錠軸９ｂは回動できず、回動不可能であるから、カム部材１０はシリンダ錠９によりロックされ、作動帯板８はカム部材１０により上下摺動を阻止される。このため、不正器具の先端を引っ掛けて作動帯板８を動かし表枠ロック爪２，３を摺動させようとしても、作動帯板８は摺動せず、不正解錠を防止することができる。
【００４７】
一方、表枠２１に対しガラス枠２２を閉じると、１対のガラス枠ロック爪６，７の先端傾斜部が、ガラス枠２２の受け金具２５，２６の係止部２５ａ，２６ａに当って一旦下に摺動し、ばね部材１８，１９の付勢力によって上方に戻ることにより、ガラス枠ロック爪６，７がガラス枠２２の係止部２５ａ，２６ａに係止される。同時に、ガラス枠ロック爪６，７の側面に枢支された揺動係止爪１６，１７の先端爪部１６ｂ、１７ｂが、ばね部材１８，１９の付勢力により図９の反時計方向に回動して、受け金具２５，２６の係止孔２５ｂ、２６ｂに嵌入して係止され、図６のような施錠状態となる。
【００４８】
したがって、ガラス枠２２の施錠状態において、ガラス枠ロック爪６，７が受け金具２５，２６の係止部２５ａ，２６ａに係止されると共に、ガラス枠ロック爪６，７に枢支された揺動係止爪１６，１７の先端爪部１６ｂ、１７ｂが、受け金具２５，２６の係止孔２５ｂ、２６ｂに嵌入し、ロックされる。このため、遊技機のガラス枠２２と表枠２１の隙間から針金などの不正器具を差し込み、その先端で引っ掛けて、ガラス枠ロック爪６，７を解錠側へ移動させようとしても、ガラス枠ロック爪６，７は、図８、９のように、それと一体の揺動係止爪１６，１７の先端爪部１６ｂ、１７ｂが受け金具２５，２６の係止孔２５ｂ、２６ｂに嵌入してロックされ、解錠への移動は不可能となる。よって、ガラス枠ロック爪６，７は、下方へ摺動が不可能となり、ガラス枠２２の隙間から針金などを差し込んでガラス枠ロック爪６，７を下方へ摺動させようとしてもできず、不正解錠を防止することができる。
【００４９】
また上記と同様に、施錠状態においては、カム部材１０の第１、第２係合凸部１０ａ，１０ｂが、作動帯板８の係合孔８ｉ，８ｊに嵌入した状態を保持して、作動帯板８の移動はロックされる。つまり、キーを抜いた状態のシリンダ錠９では、その錠軸９ｂは回動できず、回動不可能であるから、カム部材１０はシリンダ錠９によりロックされ、作動帯板８はカム部材１０により上下摺動を阻止される。このため、不正器具の先端を引っ掛けて作動帯板８を動かしガラス枠ロック爪６，７を摺動させようとしても、作動帯板８は摺動せず、ガラス枠２２の不正解錠を防止することができる。
【００５０】
表枠２１を解錠する場合、キーをシリンダ錠９に差し込み、右に回すと、カム部材１０の第１係合凸部１０ａが図２の反時計方向に回動して作動帯板８の係合孔８ｊに係合し、作動帯板８を上方に移動させる。このとき、図１４に示すように、先ず、作動帯板８の係合凸部８ｅ，８ｆが表枠ロック爪２，３の側面に枢支された揺動係止爪４，５の係合部４ｃ、５ｃに係合して、揺動係止爪４，５をばね部材１４，１５の付勢力に抗して、枢軸４ａ，５ａを軸に図１４の時計方向に回動させる。
【００５１】
このとき、揺動係止爪４，５の先端爪部４ｂ、５ｂが受け金具２３，２４の係止孔２３ｂ、２４ｂから外れる。さらに、作動帯板８が上方に移動すると、作動帯板８の係合凸部８ｅ，８ｆが表枠ロック爪２，３の係合部２ｂ、３ｂに係合し、揺動係止爪４，５のばね部材１４，１５の付勢力に抗して、表枠ロック爪２，３を上方に持ち上げる。これにより、図１１、図１４のように、表枠ロック爪２，３が上に摺動して受け金具２３，２４の係止部２３ａ，２４ａから外れ、表枠２１が解錠される。
【００５２】
ガラス枠２２を解錠する場合、シリンダ錠９にキーを差し込み、キーを左に回すと、カム部材１０の第２係合凸部１０ｂが図２の時計方向に回動して作動帯板８を下方に移動させる。このとき、作動帯板８の係合凸部８ｇ，８ｈが、先ずガラス枠ロック爪６，７の側面に枢支された揺動係止爪１６，１７の係合部１６ｃ、１７ｃに係合して、揺動係止爪１６，１７をばね部材１８，１９の付勢力に抗して、図１２の時計方向に回動させる。これにより、揺動係止爪１６，１７の先端爪部１６ｂ、１７ｂが受け金具２５，２６の係止孔２５ｂ、２６ｂから外れ、続いて、作動帯板８の係合凸部８ｇ，８ｈがガラス枠ロック爪６，７の係合部６ｂ、７ｂに係合してこれを押し下げ、ガラス枠ロック爪６，７が下方に摺動する。これにより、図１２のように、ガラス枠ロック爪６，７とガラス枠２２の受け金具２５，２６の係止部２５ａ，２６ａとの係合が外れ、ガラス枠２２が解錠される。
【００５３】
このように、表枠２１の施錠時に表枠ロック爪２，３をロックし、且つガラス枠２２の施錠時にはガラス枠ロック爪６，７をロックして、表枠２１とガラス枠２２の両方の不正解錠を防止することができる。また、上下１対の表枠ロック爪２，３と上下１対のガラス枠ロック爪６，７は、各々がそのロック爪の側面に枢支された揺動係止爪４，５，１６，１７により独立してロックされるため、複数のロック爪を同時に破壊するなどして解除することは極めて不可能となり、確実に不正解錠を防止することができる。
【００５４】
さらに、上下１対の表枠ロック爪２，３と上下１対のガラス枠ロック爪６，７は、全てが上下摺動により施錠・解錠動作するため、ロック爪やその受け金具の寸法精度に、それ程高い精度は必要とされず、比較的ラフな精度でも施錠・解錠動作を行なうことができる。また、表枠２１またはガラス枠２２の解錠操作は、１本の作動帯板８を上または下に摺動させるだけの簡単な操作で、表枠ロック爪２，３またはガラス枠ロック爪６，７を摺動させて行なうことができ、部品点数は少なく、構造も比較的簡単化することができる。
【図面の簡単な説明】
【００５５】
【図１】本発明の一実施形態を示す遊技機用施錠装置の右側面図である。
【図２】同施錠装置の背面図である。
【図３】同施錠装置の分解右側面図である。
【図４】同施錠装置の分解背面図である。
【図５】使用状態を示す、表枠、ガラス枠を開いた状態の部分断面付き右側面図である。
【図６】使用状態を示す、表枠、ガラス枠を閉じた状態の部分断面付き右側面図である。
【図７】（ａ）は受け金具２３，２４の斜視図、（ｂ）受け金具２５，２６の斜視図である。
【図８】施錠装置の上部の拡大部分右側面図である。
【図９】施錠装置の中間部の拡大部分右側面図である。
【図１０】施錠装置の下部の拡大部分右側面図である。
【図１１】表枠の解錠時に表枠ロック爪がロックを解除した状態の右側面図である。
【図１２】ガラス枠の解錠時にガラス枠ロック爪がロックを解除した状態の右側面図である。
【図１３】表枠を閉じて施錠する際の表枠ロック爪と揺動係止爪の動作を示す部分右側面図である。
【図１４】表枠の解錠操作時の表枠ロック爪と揺動係止爪の動作を示す部分右側面図である。
【図１５】使用状態を示す断面付き拡大平面図である。
【符号の説明】
【００５６】
１      基枠
２、３      表枠ロック爪
２ｂ、３ｂ    係合部
４、５      揺動係止爪
４ａ，５ａ    枢軸
４ｂ，５ｂ    先端爪部
４ｃ，５ｃ    係合部
６，７      ガラス枠ロック爪
６ｂ，７ｂ    係合部
８      作動帯板
８ａ〜８ｄ    ガイド孔
８ｅ〜８ｈ    係合凸部
８ｉ，８ｊ    係合孔
９      シリンダ錠
１０    カム部材
１０ａ  第１係合凸部
１０ｂ  第２係合凸部
１１    取付板
１２    支持板
１６，１７    揺動係止爪
１６ｂ、１７ｂ  先端爪部
２０    本体枠
２１    表枠
２２    ガラス枠
２３，２４    受け金具
２３ａ，２４ａ  係止部
２３ｂ，２４ａ  係止孔
２５，２６    受け金具
２５ａ，２６ｂ  係止部
２５ｂ，２６ｂ  係止孔
【図１】
2008142416.tif 000003
【図２】
2008142416.tif 000004
【図３】
2008142416.tif 000005
【図４】
2008142416.tif 000006
【図５】
2008142416.tif 000007
【図６】
2008142416.tif 000008
【図７】
2008142416.tif 000009
【図８】
2008142416.tif 000010
【図９】
2008142416.tif 000011
【図１０】
2008142416.tif 000012
【図１１】
2008142416.tif 000013
【図１２】
2008142416.tif 000014
【図１３】
2008142416.tif 000015
【図１４】
2008142416.tif 000016
【図１５】
2008142416.tif 000017